(57)【特許請求の範囲】
【請求項１】
容器本体の口筒部に螺着されるとともに、内方に口筒部を密封するパッキン部材を装着したネジキャップにおいて、
キャップの外周壁の内周には、中央部に、容器本体の口筒部のネジに螺合するネジが配設されるとともに、ネジの上端より頂壁までは可動内周面となっており、
パッキン部材は、変形可能な軟材質で成形され、リング状のフランジと、フランジの内縁端に垂設され、外周が口筒部の内周に緩挿される係合壁と、係合壁の下端内周に連設されるリング状の底壁と、底壁の内縁端に立設され、上方内側に向けて延びる傾斜筒壁と、傾斜筒壁の上端に連設されるとともに、上面が、フランジの上面より高い位置に来るように配設される頂壁とからなっており、
フランジは、下面が容器本体の口筒部の上面と係合し、外縁端が、キャップに装着した時に、キャップのネジの上端面に当接することを特徴とするネジキャップ。
【請求項２】
容器本体の口筒部の外周には、上部に、ネジが螺設され、中程から、内方に向かう係止段部を形成した係合凹部が配設され、
キャップは、キャップ本体と、キャップ本体の下端に破断可能に連設される封緘帯とからなり、
封緘帯は、所定の間隔を設け円状に形成される帯体と、帯体の両端部を連設する破断可能な弱化部によりリング状に形成され、
キャップ本体の外周壁と封緘帯は、外周壁の下面と帯体の上面とを、帯体の開蓋時の開蓋方向の端部から等間隔に複数配設された破断可能な弱化片により連結され、
封緘帯の帯体の内周には、開蓋時の開蓋方向の端部から等間隔に複数配設され、下方から上方内側に傾斜して延び、先端が容器本体の係合凹部に係合する係止爪片が設けられていることを特徴とする請求項１記載のネジキャップ。
【請求項３】
帯体の開蓋方向の反対側の端部付近の弱化片が、他の弱化片より太く比較的強固な弱化片となっていることを特徴とする請求項２記載のネジキャップ。
【請求項４】
係止爪片は、先端が、閉蓋時に容器本体の口筒部の係合凹部に係合し、開蓋時にキャップがある程度上昇した後に、口筒部の係止段部に当接するように形成されていることを特徴とする請求項２または３記載のネジキャップ。
【発明の詳細な説明】
【技術分野】
【０００１】
本発明は、キャップ、とくにネジキャップに関するものである。
【背景技術】
【０００２】
キャップとして、容器本体の口筒部外周に螺合するとともに、内方に口筒部に係合して容器内を密封するパッキン部材を装着したキャップ本体の下端に、複数の細い接続片を介して、口筒部外周の係止部に抜け出し不能に係止する封緘リングを連結して、開蓋時のキャップ螺脱操作により接続片を破断させ、口筒部の下部に残る封緘リングと、開蓋されるキャップ本体とに分離し、これによりキャップが開蓋されたことを判別できるようにした不正開封を防止するネジキャップが広く使用されている（例えば、特許文献１参照）。
【先行技術文献】
【特許文献】
【０００３】
【特許文献１】特開平１１−２０８４５号公報
【発明の概要】
【発明が解決しようとする課題】
【０００４】
しかしながら、上記特許文献１記載の封緘付きキャップでは、閉蓋時にパッキン部材（中栓６）の係合壁（密封壁４２）の外周が容器本体の口筒部の内周に密着されており、開蓋の際に、キャップを開蓋方向に回転する力に、パッキン部材を口筒部から引き離す力が加わり、キャップを回転させるのに強い力が必要となるという問題があった。
さらに、封緘帯（タンパーエビデント裾部１６）をキャップ本体（蓋本体４）から切り離す力を加えると、キャップを回転させるのに、さらに強い力が必要となっていた。
【０００５】
本発明は、上記問題を解決することを課題とし、閉蓋時にパッキン部材により容器内を密封することができ、開蓋時に、キャップを開蓋方向に回転させてパッキン部材を口筒部から引き抜くとともに、封緘帯をキャップ本体から、より弱い回転力で切り離すことができるようにしたネジキャップを提供することを目的とする。
【課題を解決するための手段】
【０００６】
本発明は、上記課題を解決するため、ネジキャップとして、容器本体の口筒部に螺着されるとともに、内方に口筒部を密封するパッキン部材を装着したネジキャップにおいて、キャップの外周壁の内周には、中央部に、容器本体の口筒部のネジに螺合するネジが配設されるとともに、ネジの上端より頂壁までは可動内周面となっており、パッキン部材は、変形可能な軟材質で成形され、リング状のフランジと、フランジの内縁端に垂設され、外周が口筒部の内周に緩挿される係合壁と、係合壁の下端内周に連設されるリング状の底壁と、底壁の内縁端に立設され、上方内側に向けて延びる傾斜筒壁と、傾斜筒壁の上端に連設されるとともに、上面が、フランジの上面より高い位置に来るように配設される頂壁とからなっており、フランジは、下面が容器本体の口筒部の上面と係合し、外縁端が、キャップに装着した時に、キャップのネジの上端面に当接することを特徴とする構成を採用する。
【０００７】
キャップの実施例として、容器本体の口筒部の外周には、上部に、ネジが螺設され、中程から、内方に向かう係止段部を形成した係合凹部が配設され、キャップは、キャップ本体と、キャップ本体の下端に破断可能に連設される封緘帯とからなり、封緘帯は、所定の間隔を設け円状に形成される帯体と、帯体の両端部を連設する破断可能な弱化部によりリング状に形成され、キャップ本体の外周壁と封緘帯は、外周壁の下面と帯体の上面とを、帯体の開蓋時の開蓋方向の端部から等間隔に複数配設された破断可能な弱化片により連結され、封緘帯の帯体の内周には、開蓋時の開蓋方向の端部から等間隔に複数配設され、下方から上方内側に傾斜して延び、先端が容器本体の係合凹部に係合する係止爪片が設けられていることを特徴とする構成を採用する。
【０００８】
封緘帯の実施例として、帯体の開蓋方向の反対側の端部付近の弱化片が、他の弱化片より太く比較的強固な弱化片となっていることを特徴とする構成、或いは、係止爪片は、先端が、閉蓋時に容器本体の口筒部の係合凹部に係合し、開蓋時にキャップがある程度上昇した後に、口筒部の係止段部に当接するように形成されていることを特徴とする構成を採用する。
【発明の効果】
【０００９】
本発明のネジキャップは、閉蓋時のキャップ本体の下降により、パッキン部材が変形させられることによって、パッキン部材の係合壁を容器本体の口筒部の内周に密着させて、容器内を密封することができ、開蓋時のキャップ本体の上昇により、パッキン部材の変形が解かれることで、パッキン部材の係合壁と口筒部の内周との係合が解かれ、抵抗なくパッキン部材を口筒部から引き離すことができる。
開蓋時に、パッキン部材と口筒部との抵抗がなく、開蓋時のキャップを開蓋方向に回転させる力に加わらないので、より弱い力で回転させることができる。
また、パッキン部材と口筒部との抵抗がないことにより、開蓋時の封緘帯をキャップ本体から切り離す際にも、より弱い力で連続して回転させることができる。
【００１０】
さらに、キャップのキャップ本体と封緘帯とを連設する弱化片が切断されると、その跡が残るので、キャップの不正開封を確認することができる。
また、開蓋時に、口筒部に残った封緘帯は、弱化部を切断された帯体であるので、簡単に口筒部から外すことができる。
【図面の簡単な説明】
【００１１】
【図１】本願発明の容器の説明図で、（ａ）は断面側面図、（ｂ）は正面図である。
【図２】キャップの説明図で、（ａ）は断面側面図、（ｂ）は（ａ）のＸ−Ｘ線で切断した封緘帯の上面図である。
【図３】パッキン部材の説明図で、（ａ）は上面図、（ｂ）は断面図である。
【図４】キャップにパッキン部材を装着した時の断面側面図である。
【図５】容器本体に対して、キャップおよびパッキン部材の下降時の説明図で、（ａ）は断面側面図、（ｂ）はパッキン部材の頂壁を押圧した時の断面図である。
【図６】開封後の容器の断面図である。
【発明を実施するための形態】
【００１２】
次に、本発明のネジキャップについて、図面を参照して説明する。  
図１において、Ａは容器本体、Ｂは容器本体Ａの口筒部に螺着されるキャップ、Ｐは変形可能な軟材質で成形され、キャップＢとともに容器本体Ａを密封するパッキン部材である。
【００１３】
容器本体Ａは、口筒部１と肩部２と胴部（図示しない）とを具えている。
【００１４】
口筒部１の外周には、上部に、ネジ３が螺設され、中程から、内方に向かう係止段部４を形成し、下方に向かい他の外周より縮径された係合凹部５と、係合凹部５の下端から外方に向かい他の外周より拡径されるネックリング６が配設されている。
【００１５】
キャップＢは、図１、２に示すように、キャップ本体Ｂ１と、キャップ本体Ｂ１の下端に連設される封緘帯Ｂ２とからなっている。  
【００１６】
キャップ本体Ｂ１は、頂壁１０と外周壁１１とからなっている。
外周壁１１の外周には、滑り止めのために、複数のローレット等を設けてもよい。
【００１７】
外周壁１１の内周には、中央部に、容器本体Ａの口筒部１のネジ３に螺合するネジ１２が突設されており、ネジ１２の上端より頂壁１０までは、可動内周面１１ａとなっている。
【００１８】
封緘帯Ｂ２は、所定の間隔１３を設け円状に形成される帯体１４と、帯体１４の端部１４ａ、１４ｂ間の間隔１３側面の内側下端を連設する破断可能な弱化部１５によりリング状に形成されている。
帯体１４の端部１４ａは、間隔１３を挟んで、開蓋方向に対して反対側にあり、端部１４ｂは、開蓋方向にある。
【００１９】
キャップ本体Ｂ１の外周壁１１と封緘帯Ｂ２は、外周壁１１の下面と帯体１４の上面とを、端部１４ｂから端部１４ａ近傍を残して等間隔に複数配設された破断可能な弱化片１６と、封緘帯Ｂ２の帯体１４の端部１４ａ付近に配設され、弱化片１６より太い太弱化片１７とにより連結されている。
【００２０】
封緘帯Ｂ２の帯体１４の内周には、下方から先端が上方内側に傾斜して延びる係止爪片１８が等間隔に複数配設されている。
係止爪片１８は、閉蓋時に先端が容器本体Ａの口筒部１の係合凹部５に入り、開蓋時にキャップＢがある程度回転して上昇した後に、先端が口筒部１の係止段部４に当接するように形成されている。
【００２１】
パッキン部材Ｐは、図１、３に示すように、リング状のフランジ２０と、フランジ２０の内縁端に垂設される係合壁２１と、係合壁２１の下端内周に連設されるリング状の底壁２２と、底壁２２の内縁端に立設され、上方内側に向けて延びる傾斜筒壁２３と、傾斜筒壁２３の上端に連設されるとともに、上面が、フランジ２０の上面よりある程度高い高さｈの位置に来るように配設される頂壁２４とからなっている。
【００２２】
フランジ２０は、下面が容器本体Ａの口筒部１の上面と係合し、外縁端２０ａが、キャップ本体Ｂ１に装着した時に、キャップ本体Ｂ１の外周壁１１の可動内周面１１ａ内で可動自在に遊嵌されるとともに、ネジ１２の上端面に当接し、パッキン部材Ｐがキャップ本体Ｂ１から抜け落ちることを防止するようになっている。
【００２３】
係合壁２１の外周には、係合部２５が周設され、係合部２５の外周面は、容器本体Ａの口筒部１の内周に弱い抵抗で挿入されるように形成されている。
【００２４】
次に、本実施形態の使用態様と作用効果について説明する。
まず、キャップＢの内方に下方から頂壁２４を上にしてパッキン部材Ｐを挿入していき、キャップ本体Ｂ１内にパッキン部材Ｐを装着する。
【００２５】
その際、パッキン部材Ｐのフランジ２０の外縁端２０ａ付近がキャップ本体Ｂ１の外周壁１１のネジ１２の内周下端部に当接するが、パッキン部材Ｐ自体がある程度変形可能な軟材質で成形されているので、フランジ２０が変形しながらパッキン部材Ｐを上昇させていく。
【００２６】
パッキン部材Ｐを上昇させて、フランジ２０がキャップ本体Ｂ１のネジ１２を乗り越えると、当接が外され、フランジ２０は元の形状に復元するとともに、パッキン部材Ｐは外周壁１１の可動内周面１１ａ内方に進入していく。
【００２７】
最後に、パッキン部材Ｐの頂壁２４上面がキャップ本体Ｂ１の頂壁１０下面に当接して上昇が止められる。
【００２８】
キャップ本体Ｂ１内にパッキン部材Ｐを装着した後は、パッキン部材Ｐは、キャップ本体Ｂ１の可動内周面１１ａ内方で上下動するとともに、図４に示すように、フランジ２０の外縁端２０ａ付近がネジ１２の上端部に当接して、パッキン部材Ｐがキャップ本体Ａの内方から抜け落ちることを防止している。
【００２９】
パッキン部材Ｐを装着したキャップＢは、螺着方向に回転させ、容器本体Ａの口筒部１に装着し、閉蓋する。
【００３０】
キャップＢを回転させ、容器本体Ａの口筒部１に対して下降させていく際には、封緘帯Ｂ２の帯体１４の内周に設けられた係止爪片１８の先端部付近が口筒部１のネジ３および口筒部１の外周に当接するが、係止爪片１８が先端部付近から外側に変形するので、キャップＢの回転および下降の抵抗にならない。
【００３１】
キャップＢが下降していくと、パッキン部材Ｐの頂壁２４上面がキャップ本体Ｂ１の頂壁１０下面に当接することでパッキン部材Ｐもキャップ本体Ｂ１とともに下降し、パッキン部材Ｐの係合壁２１が底壁２２側から口筒部１の内周に弱い抵抗で挿入されていく。
【００３２】
さらに、キャップＢを回転させ、下降していくと、係止爪片１８の先端は、容器本体Ａの口筒部１の係合凹部５に入り、口筒部１との当接が解除され、元の状態に復元するともに、そのまま下降していく。
【００３３】
キャップＢの螺着が終わるころには、図５（ａ）に示すように、パッキン部材Ｐのフランジ２０の下面が容器本体Ａの口筒部１の上面に当接し、パッキン部材Ｐの下降が阻止されるとともに、キャップ本体Ｂ１の下降に伴い、頂壁２４がパッキン部材Ｐ全体に対して上方から高さｈの分だけ押圧されていく。
【００３４】
パッキン部材Ｐ自体がある程度変形可能な軟材質で成形されているので、頂壁２４のみが上方から押圧されると、図５（ｂ）に示すように、下方への力ｆ１が傾斜筒壁２３を介して外側下方への力ｆ２となり、さらには、傾斜筒壁２３を介して底壁２２を外側へ広げようとする力ｆ３となり、底壁２２を介して係合壁２１を下方から外側に変形させていく。
【００３５】
係合壁２１が外側に変形させられると、図１（ａ）に示すように、係合壁２１の係合部２５の外周を口筒部１の内周に圧着させるとともに圧着を強くしていく。
【００３６】
キャップＢの螺着が終了した際には、パッキン部材Ｐの頂壁２４とフランジ２０との上面が面一となるとともに、フランジ２０をキャップ本体Ｂ１の頂壁１０の下面と容器本体Ａの口筒部１の上面とが狭着するので、パッキン部材Ｐが口筒部１の内周および上面に圧着し、容器内を密封する。
【００３７】
キャップＢを開蓋する際には、キャップＢを容器本体Ａに対して開蓋方向に回転させる。
キャップＢを回転させ、キャップＢが上昇し始めると、キャップ本体Ｂ１の頂壁１０の下面とパッキン部材Ｐのフランジ２０との狭着力が弱まっていく。
【００３８】
また、キャップ本体Ｂ１の頂壁１０の上昇に伴い、パッキン部材Ｐの頂壁２４に対する上方からの押圧による力ｆ１がなくなっていくことで、外側下方への力ｆ２と外側への力ｆ３もなくなっていき、パッキン部材Ｐの係合壁２１の変形が解かれ、元の形状に戻る。
【００３９】
係合壁２１が元の形状に戻されることで、係合壁２１の係合部２５の外周と容器本体Ａの口筒部１の内周との圧着が解かれ、図５（ａ）に示すように、係合壁２１は口筒部１の内周に弱い抵抗で挿入される状態に戻される。
【００４０】
さらに、キャップＢが上昇すると、封緘帯Ｂ２の帯体１４の内周の係止爪片１８の先端が容器本体Ａの口筒部１の係止段部４に当接する。
【００４１】
係止段部４に係止爪片１８の先端が当接した後、キャップＢを回転させると、キャップ本体Ｂ１の上昇に対して、封緘帯Ｂ２の上昇が阻止される。
【００４２】
封緘帯Ｂ２の上昇が阻止されている状態で、キャップ本体Ｂ１が上昇していくと、キャップ本体Ｂ１と封緘帯Ｂ２とを連設する弱化片１６が切断されていく。
【００４３】
さらに、太弱化片１７によりキャップ本体Ｂ１に連設された封緘帯Ｂ２の帯体１４の端部１４ａ付近が上昇しようとし、帯体１４の端部１４ａと端部１４ｂとの高さの差により、帯体１４の端部１４ａと端部１４ｂとを連設する弱化部１５が切断され、次に、帯体１４自体の抵抗により太弱化片１７自体が切断され、封緘帯Ｂ２が下方に落とされる。
【００４４】
また、キャップ本体Ｂ１が上昇していくと、パッキン部材Ｐのフランジ２０の外縁端２０ａがキャップ本体Ｂ１のネジ１２の上端部に当接してパッキン部材Ｐもキャップ本体Ｂ１とともに上昇していく。
【００４５】
パッキン部材Ｐの係合壁２１の外周が容器本体Ａの口筒部１の内周に弱い抵抗で挿入されているだけであるので、パッキン部材Ｐはキャップ本体Ｂ１とともに、口筒部１から外されていく。
【００４６】
キャップ本体Ｂ１の回転を続けると、図６に示すように、封緘帯Ｂ２を容器本体Ａの口筒部１に残してキャップ本体Ｂ１とパッキン部材Ｐが容器本体Ａから開蓋される。
【００４７】
本実施形態のネジキャップは、キャップＢを容器本体Ａに螺着して閉蓋する際に、キャップ本体Ｂ１の下降により、キャップ本体Ｂ１内に装着したパッキン部材Ｐを変形させることで、パッキン部材Ｐを容器本体Ａの口筒部１の内周に圧着することができ、容器内をより密封することができる。
【００４８】
パッキン部材Ｐにより容器内を密封することができるので、容器本体Ａの口筒部１のネジ３とキャップ本体Ｂ１のネジ１２との螺合で容器内を密封する必要がなく、ネジ同士の螺合する山と谷との間にある程度の間隔が空き、弱い力で簡単に螺着脱できるネジでよい。
【００４９】
最初に開蓋する際に、キャップＢを開蓋方向に回転させて上昇していくことで、パッキン部材Ｐの変形を解き、パッキン部材Ｐと口筒部１の内周との圧着を解いて抵抗をなくすので、弱い力で簡単に開封することができる。
【００５０】
さらに、開蓋の際、最初にパッキン部材Ｐと口筒部１との密封を解き、次いで、封緘帯Ｂ２の係止爪片１８を口筒部１の係止段部４に当接させて封緘帯Ｂ２をキャップ本体Ｂ１から切り離すので、開蓋時の抵抗が同時に起こることがなく、弱い力で連続して開蓋を進めることができる。
【００５１】
キャップ本体Ｂ１を容器本体Ａの口筒部１に再び閉蓋する際には、キャップ本体Ｂ１を螺着方向に回転させることで、パッキン部材Ｐの係合壁２１を口筒部１の内周に弱い抵抗で挿入するとともに、パッキン部材Ｐを変形させることで、係合壁２１の係合部２５の外周を口筒部１の内周に圧着させるとともに、フランジ２０をキャップ本体Ｂ１の頂壁１０の下面と容器本体Ａの口筒部１の上面とを狭着させ、容器内を密封することができる。
【００５２】
本実施形態のネジキャップは、最初の開蓋で、キャップＢのキャップ本体Ｂ１と封緘帯Ｂ２とを連設する弱化片１６と太弱化片１７と、封緘帯Ｂ２の弱化部１５とが切断されるので、不正開封を視認することができる。
【００５３】
開蓋後、封緘帯Ｂ２が容器本体Ａの口筒部１の下方に残るが、封緘帯Ｂ２自体が、帯体１４の端部１４ａと端部１４ｂとを連設する弱化部１５が切断された帯状となっているので、必要でなければ、帯体１４の端部１４ａまたは端部１４ｂを摘んで引っ張り、封緘帯Ｂ２を口筒部１から引き離し、廃棄してもよい。
【００５４】
また、封緘帯Ｂ２を容器本体Ａから簡単に外せるので、容器使用後に、構成する材質が異なる容器本体ＡとキャップＢを簡単に分別廃棄することができる。
【００５５】
上記実施形態では、キャップを、キャップ本体と封緘帯としたが、不正開封を防止する必要がなければ、キャップが封緘帯を設けないキャップ本体のみの構成でもよい。
【産業上の利用可能性】
【００５６】
本発明のネジキャップは、開蓋時に、キャップを開蓋方向に回転させる力をより弱い力で回転させることができ、また、キャップ本体から封緘帯を切り離すことが簡単にでき、キャップと容器本体とを分別廃棄することが簡単にできるキャップとして広く利用することができる。
【符号の説明】
【００５７】
Ａ              容器本体
Ｂ              キャップ
Ｂ１            キャップ本体
Ｂ２            封緘帯
Ｐ              パッキン部材
ｈ              高さ
１              口筒部
２              肩部
３、１２        ネジ
４              係止段部
５              係合凹部
６              ネックリング
１０            頂壁
１１            外周壁
１１ａ          可動内周面
１３            間隔
１４            帯体
１４ａ、１４ｂ    端部
１５            弱化部
１６            弱化片
１７            太弱化片
１８            係止爪片
２０            フランジ
２０ａ          外縁端
２１            係合壁
２２            底壁
２３            傾斜筒壁
２４            頂壁
２５            係合部
【図１】
0005881323.tif 000002
【図２】
0005881323.tif 000003
【図３】
0005881323.tif 000004
【図４】
0005881323.tif 000005
【図５】
0005881323.tif 000006
【図６】
0005881323.tif 000007